(57)【要約】【課題】  ＡＤＦを収納するＡＤＦフレームが、装置本体にヒンジ部材を介して開閉自在に設けられてなる画像読取装置において、ヒンジ部材の寸法誤差や取付誤差等に影響を受けることなく、ＡＤＦフレームを水平に閉じることを可能とする手段を提供する。【解決手段】  本画像読取装置１は、装置本体３の上面に、自動原稿搬送機構１４を収納するＡＤＦフレーム５が、該ＡＤＦフレーム５の一端側に固定されるフレーム支持部２５と装置本体３に固定される基部２６とが回動自在に枢着されてなるヒンジ部材４を介して開閉自在に設けられた画像読取装置１において、ＡＤＦフレーム５に、装置本体３の上面３ａと当接してＡＤＦフレーム５の位置決めを行う凸部１７が少なくとも２箇所に設けられ、且つ、ヒンジ部材４の基部２６が、装置本体３の上面３ａに所定範囲で上下動可能に取り付けられたものである。【選択図】  図４
2005269450.tif 000002
【特許請求の範囲】
【請求項１】
画像読取手段を具備する装置本体の上面に、原稿トレイから前記装置本体の読取位置を経て排紙トレイへ原稿を搬送する自動原稿搬送機構を収納するＡＤＦフレームが、該ＡＤＦフレームの一端側に固定されるフレーム支持部と装置本体に固定される基部とが回動自在に枢着されてなるヒンジ部材を介して開閉自在に設けられた画像読取装置において、
前記ＡＤＦフレームに、装置本体の上面と当接してＡＤＦフレームの位置決めを行う凸部が少なくとも３箇所に設けられ、且つ、前記ヒンジ部材の基部が、前記装置本体の上面に所定範囲で上下動可能に取り付けられたことを特徴とする画像読取装置。
【請求項２】
前記ヒンジ部材の基部に取付孔が穿設され、前記装置本体に、該取付孔に挿通されて上端面が前記基部の上面から突出するボス部が設けられ、該ボス部に上端面から鍔状に突出する固定具が固着されたことを特徴とする請求項１記載の画像読取装置。
【請求項３】
前記装置本体の上面に位置決めピンが突設され、前記ＡＤＦフレームに該位置決めピンと嵌合する位置決め孔が形成されたことを特徴とする請求項１又は２記載の画像読取装置。
【発明の詳細な説明】
【技術分野】
【０００１】
本発明は、自動原稿搬送機構を収納するＡＤＦフレームが、ヒンジ部材を介して装置本体の上面に開閉自在に設けられた画像読取装置に関するものである。
【背景技術】
【０００２】
スキャナ、ファクシミリ、複写機等に採用される画像読取装置には、プラテンガラスに原稿を載置して画像読み取りを行うフラットベッド方式のものと、複数枚の原稿を順次給紙して画像読み取りを行うシートスルー方式のものとがある。フラットベッド方式は、フラットベッドスキャナ（以下「ＦＢＳ」という）により実現されており、シートスルー方式は、主にオート・ドキュメント・フィーダー（以下「ＡＤＦ」という）により実現されている。
【０００３】
図７は、ＡＤＦを装備し、シートスルー方式でのみ画像読み取りを行う従来のＰＰＦ（Plain  Paper  Copier）タイプの画像読取装置１００を示す概略正面図であり、該画像読取装置１００は主に普通紙ファクシミリに適用される。図に示すように、画像読取装置１００は、画像読取手段１０１が収納された装置本体１０２と、図示しないＡＤＦが収納されたＡＤＦフレーム１０３とを具備してなるものであり、原稿トレイ１０４にセットされた原稿Ｐが最上紙から１枚ずつ分離されてＡＤＦ内部へ繰り込まれ、該原稿Ｐの表面の画像が、装置本体１０２の読取位置Ｘに配設されたスリットガラス１０５を通して画像読取手段１０１により読み取られ、排紙トレイ１０６へと排出されるものとなっている。
【０００４】
図７に示すように、装置本体１０２は、ＡＤＦの下方で画像読取手段１０１を固定するためのボトムフレーム１０７と、該ボトムフレーム１０７の上部に設けられて排紙トレイ等を構成するフレームカバー１０８とからなる。ボトムフレーム１０７の側面側端部には上下方向に嵌入穴１０９が形成されており、該嵌入穴１０９に嵌入されたヒンジ部材１１０を介して装置本体１０２の上面にＡＤＦフレーム１０３が固定されることにより、ＡＤＦフレーム１０３が側面方向へ開閉自在となっている。側面方向へ開かれたＡＤＦフレーム１０３は、図に点線で示した位置で図示しないロック機構により固定され、その状態で、ユーザがジャム処理やスリットガラス１０５に堆積した紙粉の清掃等のメンテナンス作業を行うようになっている。
【０００５】
一方、図８は、ＦＢＳを装備し、フラットベッド方式で画像読み取りを行う従来のＭＦＰ（Multi-Function  Peripherals）タイプの画像読取装置１２０を示す概略斜視図であり、該画像読取装置１２０は、ファクシミリ、コピー、スキャナ、プリンタ等の機能を集約した複合機に用いられる（特許文献１参照）。図に示すように、画像読取装置１２０は、上面にプラテンガラス１２１が設けられた装置本体１２２と、原稿搬送機構（ＡＤＦ）を備え、装置本体１２２の上面に開閉自在に設けられた原稿押圧板１２３と、を具備してなるものである。装置本体１２２は、上面が開口した中空状のボトムフレーム１２５と、プラテンガラス１２１が固定されてボトムフレームの上面を覆うフレームカバー１２６とからなり、該ボトムフレーム１２５内にプラテンガラス１２１の下方を移動して原稿の画像読取りを行う画像読取手段（不図示）が設けられている。フレームカバー１２６及びボトムフレーム１２５の背面側端部には、ヒンジ部材１２４を嵌入するための貫通穴及び嵌入穴がそれぞれ形成され、該貫通穴及び嵌入穴に嵌入されたヒンジ部材１２４を介して原稿押圧板１２３の背面側が装置本体１２２の上面に取り付けられている。これにより原稿押圧板１２３がプラテンガラス１２１の上方を開放するように回動するので、プラテンガラス１２１上に原稿を載置したり取り除く作業が容易である。
【０００６】
原稿押圧板１２３には原稿搬送機構が装備されており、該原稿搬送機構により搬送された原稿は原稿押圧板１２３の下面の開口１２７からスリットガラス１２８上を通過する際に装置本体１２２内の画像読取手段により画像読取りされる。ここで、前述したように、原稿押圧板１２３は背面側を枢支点として回動するものなので、開口１２７、即ち搬送パスがスリットガラス１２８の下方の画像読取手段の読取ラインに対してずれる場合があり、これを修正すべく調整機構が必要となる。従来は、原稿押圧板１２３の左右に一対設けられたヒンジ部材１２４のうち、例えば左側のヒンジ部材１２４を固定するとともに、右側のヒンジ部材１２４を装置の前後方向に位置調整可能として、該ヒンジ部材１２４の位置調整により原稿押圧板１２３の開口１２７を画像読取手段の読取ラインに対して位置調整していた。
【０００７】
【特許文献１】特開平１１−０２０９５７号公報
【発明の開示】
【発明が解決しようとする課題】
【０００８】
しかし、ＰＰＦタイプの画像読取装置１００は、図１３に示すように、ＡＤＦフレーム１０３が装置本体１０２の側面側に回動するものなので、画像読取装置１００のメンテナンス作業は装置本体１０２の右手側から作業することとなるが、右手側には原稿トレイ１０４等が配設されているので、例えば袖口のようなユーザの衣服が引っ掛かることがあって作業がし難いという問題があった。また、ユーザの利き手が左手の場合でも右手側から作業せざるを得ず、やはり作業がし難いという問題があった。
【０００９】
一方、ＡＤＦフレーム１０３を装置背面側を枢支点として回動可能とした場合には、前記画像読取装置１２０と同様に、搬送パスと画像読取手段の読取ラインとの位置調整が必要となるが、ＡＤＦフレーム１０３は、ＭＦＰタイプの画像読取装置１２０の原稿押圧板１２３のように左右方向に幅がないので、左右に一対のヒンジ部材を設けて位置調整することは難しい。
【００１０】
本発明は、このような問題に鑑みてなされたものであり、ＡＤＦが収納されたＡＤＦフレームが装置本体の上面に開閉自在に設けられ、シートスルー方式でのみ画像読み取りを行う画像読取装置において、ＡＤＦフレームを画像読取手段の読取ラインに対して位置調整可能とする手段を提供することにある。
【課題を解決するための手段】
【００１１】
上記目的を達成するための請求項１の発明は、画像読取手段を具備する装置本体の上面に、原稿トレイから前記装置本体の読取位置を経て排紙トレイへ原稿を搬送する自動原稿搬送機構を収納するＡＤＦフレームが、該ＡＤＦフレームの一端側に固定されるフレーム支持部と装置本体に固定される基部とが回動自在に枢着されてなるヒンジ部材を介して開閉自在に設けられた画像読取装置において、前記ＡＤＦフレームに、装置本体の上面と当接してＡＤＦフレームの位置決めを行う凸部が少なくとも３箇所に設けられ、且つ、前記ヒンジ部材の基部が、前記装置本体の上面に所定範囲で上下動可能に取り付けられたものである。
【００１２】
請求項２の発明は、前記ヒンジ部材の基部に取付孔が穿設され、前記装置本体に、該取付孔に挿通されて上端面が前記基部の上面から突出するボス部が設けられ、該ボス部に上端面から鍔状に突出する固定具が固着されたものである。
【００１３】
請求項３の発明は、前記装置本体の上面に位置決めピンが突設され、前記ＡＤＦフレームに該位置決めピンと嵌合する位置決め孔が形成されたものである。
【発明の効果】
【００１４】
本発明に係る画像読取装置によれば、ＡＤＦフレームに、装置本体の上面と当接してＡＤＦフレームの位置決めを行う凸部が少なくとも３箇所に設けられ、且つ、ヒンジ部材の基部が、装置本体の上面に所定範囲で上下動可能に取り付けられたので、ＡＤＦフレームを画像読取手段の読取ラインに対して位置調整することができ、画像読取装置の読取精度を良好に保つことができる。
【００１５】
また、本画像読取装置によれば、ヒンジ部材の基部に取付孔が穿設され、装置本体に、該取付孔に挿通されて上端面が前記基部の上面から突出するボス部が設けられ、該ボス部に上端面から鍔状に突出する固定具が固着されたので、取付板と取付凹部の底部との間、及び取付板とボス部の上端面との間にそれぞれ隙間を設けて、取付板にこの隙間分だけ上下方向にがたつきを許容することができる。従って、ヒンジ部材等に寸法誤差や取付誤差等が生じた場合でも、該誤差を吸収すべく取付板が若干上下動することで、３個の前記各凸部が装置本体の上面に当接するようにしてＡＤＦフレームを閉じることができる。これにより、請求項１記載の画像読取装置と同様の効果を奏する。
【００１６】
また、本画像読取装置によれば、装置本体の上面に位置決めピンが突設され、ＡＤＦフレームに該位置決めピンと嵌合する位置決め孔が形成されたので、ＡＤＦフレームを閉じる際に、位置決めピンが位置決め孔に嵌合されることによりＡＤＦフレームは水平方向に位置固定される。これにより、ＡＤＦフレームの先端部が水平方向に横ズレするのを防止することにより、原稿の斜行を防止することができるとともに、画像読取装置の読取精度を良好に保つことができる。
【実施例】
【００１７】
以下、本発明の実施例に係る画像読取装置について図面に基づいて説明する。本画像読取装置１は、ＡＤＦを装備し、シートスルー方式でのみ画像読み取りを行うＰＰＦタイプの画像読取装置である。図１は、本画像読取装置１の外観を示す概略斜視図である。図に示すように、本画像読取装置１は、上面にスリットガラス２が配設されてなる装置本体３と、該装置本体３の上面３ａにヒンジ部材４を介して開閉自在に設けられたＡＤＦフレーム５と、読み取るべき原稿Ｐを載置するための原稿トレイ６と、読み取りが終了した原稿Ｐを受けるための排紙トレイ７と、装置本体３の前面に設けられ、画像読取装置１を操作するための操作パネル８とを具備してなるものである。
【００１８】
図２は、本画像読取装置１の内部構成を示す概略縦断面図である。図に示すように、本画像読取装置１では、装置本体３の内部にスキャナユニット（画像読取手段）９が収納されるとともに、ＡＤＦフレーム５の内部にＡＤＦ１０が収納されている。ＡＤＦ１０は、原稿トレイ６にセットされた原稿Ｐが最上紙から１枚ずつ分離されて搬送路１１へ繰り込まれ、該原稿Ｐの表面の画像が読取位置Ｘにおいてスキャナユニット９により読み取られ、排紙トレイ７へ排出されるものとなっている。
【００１９】
スキャナユニット９は、スリットガラス２を通して原稿Ｐへ光を照射し、該原稿Ｐからの反射光を電気信号に変換して画像読み取りを行う所謂縮小光学系のＣＣＤ読取ユニットであり、図に詳細は示さないが、略直方体状の筐体１２に、光源、反射ミラー、集光レンズ、及びＣＣＤイメージセンサが配設されてなるものである。このスキャナユニット９は、その両端部が図示しない保持部材によって装置本体３における前記読取位置Ｘの直下に固定されている。
【００２０】
ＡＤＦフレーム５は、中空の箱型に形成された樹脂製のフレームであり、その内部にＡＤＦ１０が収納できるようになっている。このＡＤＦ１０は、図１及び図２に示すように、原稿トレイ６と排紙トレイ７とを連通する略横Ｕ字形状の搬送路１１と、原稿Ｐの束から最上紙Ｐｔを分離して搬送路１１へ繰り出す給紙ユニット１３と、搬送路１１に適宜配設されて原稿Ｐを下流へ搬送する搬送ローラ１４と、読取位置Ｘにおいて読み取られた原稿Ｐを排出口１５へと案内する搬送補助リブ１６と、ＡＤＦフレーム５を装置本体３に対して所定高さに位置決めするための凸部１７とを具備してなるものである。
【００２１】
このＡＤＦフレーム５は、図１に示すように、その背面側の端部が、ヒンジ部材４を介して装置本体３の上面３ａに取り付けられ、正面開き、すなわち、その底部５ａを装置本体３の正面側に露呈させるように開閉可能となっている。これは、ＡＤＦ１０内部で原稿詰まりが発生した場合に、ＡＤＦフレーム５を開いて搬送路１１を露呈させることで詰まった原稿Ｐを容易に除去できるようにするとともに、画像読取装置１のメンテナンスを行う場合に、ＡＤＦフレーム５を開くことで作業を行いやすくするためである。ここで、ＡＤＦフレーム５を正面開きとしたことにより、ＡＤＦフレーム５の底部５ａが画像読取装置１の正面側に露呈されるので、メンテナンス作業を行いやすい、という利点がある。尚、図２に示すように、ＡＤＦフレーム５を構成する上カバーＫのみを上方へ開いて搬送路１１を露呈させることにより、ＡＤＦフレーム５の内部に詰まった原稿Ｐを除去することも可能である。
【００２２】
このように、ＡＤＦフレーム５を開閉可能としたことにより、開いたＡＤＦフレーム５を閉じる際に、ＡＤＦフレーム５が傾斜してその先端部が浮き上がって、原稿Ｐが斜行したり、スキャナユニット９による読取画質が劣化しないよう、ＡＤＦフレーム５を装置本体３に対して一定の位置に位置決めする必要がある。従って、本実施例では、図１に示すように、ＡＤＦフレーム５の先端側、すなわちヒンジ部材４とは逆側の端部に、その底面５ａから突出する左右一対の凸部１７を設けるとともに、該各凸部１７に対応して、装置本体３の上面３ａの２箇所に凹部１８を形成している。ここで、各凸部１７のＡＤＦフレーム５の底面５ａからの突出長は互いに等しくなっている。加えて、図１に示すように、ＡＤＦフレーム５の基端側、即ちヒンジ部材４による取り付け側における略中央部にも凸部１７が設けられており、この凸部１７のＡＤＦフレーム５の底面５ａからの突出長は、前記先端側の各凸部１７の突出長と等しくなっている。これにより、先端側及び基端側の計３個の凸部１７全てを装置本体３の上面３ａに当接させるようにしてＡＤＦフレーム５を閉じることにより、ＡＤＦフレーム５を所定高さに水平に保持することが可能となっている。このようにＡＤＦフレーム５の高さ方向の位置決めを行う凸部１７は、ＡＤＦフレーム５の底部５ａにおける３箇所以上に設けてもよいが、ＡＤＦフレーム５を水平に位置決めするためには少なくとも３点で位置決めすれば十分であり、コスト削減の観点から３個とすることが好適である。また、各凸部１７を設ける位置は、３個の凸部１７が一直線上に並ばないようにすれば、本実施例に限られず適宜設計変更が可能であるが、ＡＤＦフレーム５を安定して保持するためには、本実施例のように、ＡＤＦフレーム５のより先端側における両端部２箇所と、より基端側の中央部１箇所に設けることが好適である。
【００２３】
尚、前記先端側の２個の凸部１７のうち一方はマグネットで形成され、該凸部１７に対応した一方の凹部１８の底部には鉄板が配設されている。これにより、ＡＤＦフレーム５を閉じた時に、一方の凸部１７はその磁着力によって一方の凹部１８の底部に吸着するものとなっている。この時、一方の凸部１７と一方の凹部１８の間に流れる電流が、ＡＤＦフレーム５に収納された図示しない開閉検知センサーに検知されることにより、ＡＤＦフレーム５の開閉が検知されるものとなっている。
【００２４】
図３は、図１におけるヒンジ部材４近傍を拡大した分解斜視図である。図１乃至図３に示すように、装置本体３の上面３ａにおいて、ＡＤＦフレーム５に対応した部分には、前記スキャナユニット９による読取位置Ｘに配設されたスリットガラス２と、該スリットガラス２へ原稿Ｐを搬送する搬送ローラ１４と、ヒンジ部材４を取り付けるための取付凹部１９と、該取付凹部１９の底部に突設され、ネジ孔２０が形成されてなる左右一対のボス部２１と、取付凹部１９の底部に形成され、ヒンジ部材４を装置本体３の内部へ嵌入するための嵌入穴２２とがそれぞれ設けられている。
【００２５】
取付凹部１９は、図３に示すように、ヒンジ部材４を装置本体３の上面３ａと略面一に取り付けるため、装置本体３の上面３ａにおける背面側端部を凹状に形成してなるものであり、平面視が略矩形の形状を有している。また、ボス部２１は、ヒンジ部材４に挿通されて該ヒンジ部材４を装置本体３に対して位置決めするとともに、後述する規制ネジ２８を螺合するためのものである。このボス部２１は、図３及び図４に示すように、略円筒形状を有し、取付凹部１９の底部における２箇所に突設され、その下端部は装置本体３の内部へ突出して形成されている。
【００２６】
位置決めピン２３は、ＡＤＦフレーム５を閉じた状態において、該ＡＤＦフレーム５が装置本体３に対して水平方向に位置ズレするのを防止するものである。すなわち、本発明では、後述するように、ＡＤＦフレーム５は、装置本体３に対して位置固定されず、また、その背面側の端部を装置本体３の上面３ａに取り付けて正面開きとしたことで、ヒンジ部材４を支点とした回転半径が長い分、水平方向に横ズレしやすくなっている。従って、装置本体３の上面３ａにおける前記凹部１８の内方に位置決めピン２３を突設する一方、これに対応して、ＡＤＦフレーム５の底面５ａに位置決めピン２３に嵌合する形状の位置決め孔２４を形成している。これにより、ＡＤＦフレーム５を閉じた時に、位置決めピン２３が位置決め孔２４に嵌合し、ＡＤＦフレーム５は水平方向に移動不能に保持されるものとなっている。尚、位置決めピン２３及び位置決め孔２４を設ける位置及び個数は、任意に設計変更が可能であるが、本実施例のように、ＡＤＦフレーム５の装置本体３への取付位置からより遠い位置に設けた方が、ＡＤＦフレーム５をより確実に保持することができるので好適である。
【００２７】
ヒンジ部材４は、図３に示すように、ＡＤＦフレーム５の一端側を支持する左右一対のフレーム支持部２５と、装置本体３に取り付けるための基部２６とが、ヒンジピン２７を介して回動自在に枢着されてなるものであり、該ヒンジ部材４の基部２６が、規制ネジ（固定具）２８を介して、装置本体３の上面３ａに所定範囲で上下動可能に取り付けられている。
【００２８】
基部２６は、装置本体３の上面３ａに取り付けられる取付板２９と、該取付板２９の上面から上方へ突設され、ヒンジピン２７の両端部をそれぞれ支持する左右一対のヒンジピン支持片３０と、取付板２９の底面から下方へ突設され、前記嵌入穴２２から装置本体３の内部へ嵌入される嵌入片３１とを有してなるものである。各ヒンジピン支持片３０には、ヒンジピン２７を挿通させるためのピン挿通孔３２がそれぞれ形成されており、この各ピン挿通孔３２に長尺のヒンジピン２７がそれぞれ挿通されて固着されることにより、左右のヒンジピン支持片３０の間にヒンジピン２７が架設されるものとなっている。また、嵌入片３１は、嵌入穴２２に嵌入されて、ヒンジ部材４を装置本体３に対してある程度位置決めするためのものである。この嵌入片３１は、嵌入穴２２より若干小さく形成されており、嵌入穴２２に嵌入された時に、嵌入穴２２との間に若干の隙間が生じるものとなっている。これにより、ヒンジ部材４は、この隙間の分、ガタつきが許容されるものとなっている。
【００２９】
取付板２９は、図３に示すように、平面視が略矩形の平板であって、前記各ボス部２１が挿通されるボス挿通孔（取付孔）３９と、該各ボス挿通孔３３の周囲に取付板２９の上面から段落ちしてそれぞれ形成された段落ち部３４とを有するものである。この取付板２９の平面形状は、装置本体３の前記取付凹部１９の平面形状より若干小さく、また、その厚み寸法は、取付凹部１９の深さ寸法と略等しくなっており、該取付板２９を取付凹部１９に嵌合させて取り付けることにより、取付板２９が水平方向に位置ズレしにくくなっている。また、取付板２９の段落ち部３４における厚み寸法は、前記各ボス部２１が取付凹部１９の底部から突出する突出高さより若干小さくなっている。これにより、図４に示すように、各ボス挿通孔３３に各ボス部２１をそれぞれ挿通させた時に、各ボス部２１の上端面が段落ち部３４の上面から突出するものとなっている。また、図に詳細は示さないが、各ボス挿通孔３３の径は前記各ボス部２１の外径より若干大きく形成されており、ボス挿通孔３３にボス部２１が挿通された時に、ボス挿通孔３３の内周面とボス部２１の外周面との間には若干の隙間が生じるものとなっている。これにより、ヒンジ部材４は、この隙間の分だけ、水平方向に若干のガタつきが許容されるものとなっている。
【００３０】
段落ち部３４は、図４に示すように、ボス部２１の上端面と取付板２９の上面の間に段差ｄを設けることにより、取付板２９が、各ボス挿通孔３３に各ボス部２１が挿通された状態において、各ボス部２１に沿って前記段差ｄ分だけ上下方向に移動することを可能とするものである。ボス部２１の上端面と取付板２９の上面の間に段差ｄを設ける手段としては、本実施例のように、取付板２９の上面を段落ちして形成する以外に、ボス部２１の上端面の位置を高くすることも可能である。すなわち、段落ち部３４を形成せずに、各ボス部２１が取付凹部１９の底部から突出する突出高さを、取付板２９の厚みより大きくすることにより、ボス部２１の上端面と取付板２９の上面の間に段差ｄを設けることができる。
【００３１】
前記規制ネジ２８は、取付板２９の上下動の上限位置を決定するものであり、図４に示すように、ボス部２１のネジ孔２０の深さより短尺なネジ部３５と、下端部がボス部２１より大径に形成されてなるネジ頭３６とを具備してなるものである。この規制ネジ２８が、そのネジ頭３６の下端部をボス部２１の上端面に当接させるまで、ボス部２１のネジ孔２０に螺合され、ネジ頭３６の下端部がボス部２１の上端面から鍔状に突出した状態となっている。取付板２９は、この鍔状に突出したネジ頭３６の下端部に接触することにより、それ以上上へは移動できないものとなっている。取付板２９の移動範囲は、規制ネジ２８を回してボス部２１からの突出長を大きくすることで広くすることができ、これとは逆に、規制ネジ２８を回してボス部２１からの突出長を小さくすることで狭くすることができる。
【００３２】
尚、取付板２９の上下動の上限を決定する手段としては、本実施例の他にも、例えば、ネジ頭３６全体をボス部２１より大径に形成したり、ネジ頭３６とボス部２１の上端面の間に、ボス部２１より大径のワッシャ等の板部材を介在させ、この板部材で取付板２９の上方への移動を規制することも可能である。また、ボス部２１に規制ネジ２８を固着させる手段としては、本実施例のように、ボス部２１にネジ孔２０を形成する以外にも、ボス部２１を貫通するネジ挿通孔を形成し、該ネジ挿通孔にボス部２１の長さ寸法より長尺な規制ネジ２８を挿通させて、ボス部２１の下端から突出した規制ネジ２８の下端部にナットを螺合させることにより、規制ネジ２８を固着させることも可能である。
【００３３】
このように、ヒンジ部材４を装置本体３の上面３ａに所定範囲で上下動可能に取り付けることにより、ＡＤＦフレーム５の取付側に若干のガタつきが生じることを許容している。従って、ヒンジ部材４に寸法誤差や取付誤差が生じた場合でも、ＡＤＦフレーム５を閉じる際に、前記取付板２９が前記誤差に応じた分だけ上下動することにより、ＡＤＦフレーム５の各凸部１７が共に装置本体３の上面３ａに確実に当接され、ＡＤＦフレーム５を水平に閉じることが可能となっている。これにより、原稿Ｐはスキャナユニット９によって正確に読み取られるものとなっている。
【００３４】
前記フレーム支持部２５は、図３に示すように、円弧状に形成された基端にヒンジピン２７を挿通させるためのピン挿通孔３７が形成されてなるアーム部材である。この各フレーム支持部２５は、図に詳細は示さないが、その先端がＡＤＦフレーム５にネジ等でそれぞれ固定されるとともに、基端のピン挿通孔３７にヒンジピン２７がそれぞれ挿通される。これにより、ＡＤＦフレーム５は、ヒンジピン２７を支点として回動自在となっている。また、前述のように、フレーム支持部２５の略中央部には、前記取付板２９の上面に当接することでＡＤＦフレーム５を装置本体３の上面３ａから所定高さに保持するための凸部１７が設けられている。
【００３５】
以下、ヒンジ部材４等に寸法誤差や取付誤差が生じた場合における、ヒンジ部材４の上下動について説明する。図４乃至図６は、ヒンジ部材４の上下動を示す図であり、図４はＡＤＦフレーム５を閉じた状態を画像読取装置１の側方から、図５はヒンジ部材４等に前記誤差が生じた場合にＡＤＦフレーム５を閉じた状態を画像読取装置１の側方から、図６はヒンジ部材４等に誤差が生じた場合にＡＤＦフレーム５を閉じた状態を画像読取装置１の背面側から見た概略縦断面図である。本実施例では、ヒンジ部材４等に生じる前記誤差に対する許容誤差をｄと設定している。すなわち、ＡＤＦフレーム５を閉じてその底面５ａに設けられた３個の前記各凸部１７が装置本体３の上面３ａに当接した状態では、図４に示すように、取付板２９と取付凹部１９の底部との間、及び取付板２９とボス部２１の上端面との間にそれぞれｄ／２ずつの隙間が生じるものとしており、取付板２９にこの隙間分だけ上下方向にｄ／２ずつのがたつきを許容している。従って、ヒンジ部材４等に前記誤差が生じた場合でも、図５に示すように、該誤差を吸収すべく取付板２９が若干上下動することで、３個の前記各突起１７が装置本体３の上面３ａに当接するようにしてＡＤＦフレーム５を閉じることが可能となっている。この時、ＡＤＦフレーム５は、図６にしめすように、その底面５ａの各凸部１７が装置本体３の上面３ａに当接する２点Ａ，Ｂと、前記フレーム支持部２５の前記凸部１７が前記取付板２９の上面に当接する点Ｃ、の計３点によって鉛直方向に位置決めされ、装置本体３から所定高さで水平に保持されるものとなっている。もちろん、取付板２９の上下動は、図４乃至図６に示した状態に限られず、ヒンジ部材４等の前記誤差に応じて適宜変化するものである。また、ＡＤＦフレーム５は、図に詳細は示さないが、各ボス部２１の外周面が各ボス挿通孔３３の内周面に当接する点それぞれと、前記位置決めピン２３の外周面が位置決め孔２４の内周面に当接する点、の計３点によって水平方向に位置決めされることにより、横ズレが生じないものとなっている。
【図面の簡単な説明】
【００３６】
【図１】本発明の実施例に係る画像読取装置１を示す概略斜視図。
【図２】画像読取装置１の内部構造を示す概略縦断面図。
【図３】図１におけるヒンジ部材４近傍を拡大した分解斜視図。
【図４】ＡＤＦフレーム５を閉じた状態を画像読取装置１の側方から見た概略縦断面図。
【図５】ヒンジ部材４等に前記誤差が生じた場合にＡＤＦフレーム５を閉じた状態を画像読取装置１の側方から見た概略縦断面図。
【図６】ヒンジ部材４等に誤差が生じた場合にＡＤＦフレーム５を閉じた状態を画像読取装置１の背面側から見た概略縦断面図。
【図７】従来例に係る画像読取装置１００を示す概略正面図。
【図８】従来例に係る他の画像読取装置１２０を示す概略斜視図。
【符号の説明】
【００３７】
１    画像読取装置
３    装置本体
３ａ    上面３ａ（装置本体）
４    ヒンジ部材
５    ＡＤＦフレーム
６    原稿トレイ
７    排紙トレイ
９    スキャナユニット
１０    自動原稿搬送機構
１７    凸部
２１    ボス部
２３    位置決めピン
２４    位置決め孔
２５    フレーム支持部
２６    基部
２８    規制ネジ（固定具）
３３    ボス挿通孔（取付孔）
Ｐ    原稿
Ｘ    読取位置
【図１】
2005269450.tif 000003
【図２】
2005269450.tif 000004
【図３】
2005269450.tif 000005
【図４】
2005269450.tif 000006
【図５】
2005269450.tif 000007
【図６】
2005269450.tif 000008
【図７】
2005269450.tif 000009
【図８】
2005269450.tif 000010